(57)【要約】【課題】過去に発明された歯ブラシの除菌装置は高額であったり、狭い洗面所に置くには大きすぎたり、メンテナンスや取扱いに手間がかかる物であったり、薬剤においては除菌の効果と安全性において不明瞭なものでした。【解決手段】ポリエチレン製のボトルに入れた次亜塩素酸ナトリウム水溶液を計量カップに適量入れ、水道水にて希薄、混合して除菌・消毒に効果があり安全な濃度（例：哺乳瓶の除菌・消毒であれば２００ｐｐｍ）にした後、歯みがきしたばかりの歯ブラシのブラシ部分を下にして計量カップに浸すことにより次回に歯ブラシを使用するまでの間にブラシ部分の除菌・消毒をしておく。【選択図】図６
2020182659.tif 000002
【特許請求の範囲】
【請求項１】
次亜塩素酸ナトリウム水溶液を計量カップに適量入れ、水道水にて希薄、混合して除菌・消毒に効果があり安全な濃度にした後、歯みがきしたばかりの歯ブラシのブラシ部分を下にして計量カップに浸すことにより次回に歯ブラシを使用するまでの間にブラシ部分の除菌・消毒をしておくことを目的とする次亜塩素酸ナトリウム水溶液及び計量カップ。
【請求項２】
最初から次亜塩素酸ナトリウム水溶液の濃度を水道水で希薄、混合する必要がなく除菌・消毒に効果があり安全な濃度にした製品にすることで普通のコップに次亜塩素酸ナトリウム水溶液を入れて歯みがきしたばかりの歯ブラシのブラシ部分を下にしてコップに浸すことにより次回に歯ブラシを使用するまでの間にブラシ部分の除菌・消毒をしておくことを目的とする濃度1倍の次亜塩素酸ナトリウム水溶液。
【発明の詳細な説明】
【技術分野】
【０００１】
本発明は、毎日使用する歯ブラシのブラシ部分で雑菌を繁殖させないことを目的とする、次亜塩素酸ナトリウム水溶液を用いて歯ブラシの除菌・消毒に関するものである。
【背景技術】
【０００２】
歯ブラシの除菌に関して、イオンで除菌（特開２０１５−１４６９９２）、電解水を用いて除菌（特開２００５−３１２４８８）、殺菌灯を用いて除菌（実登３００２３３６）等、数多く公知となっている。
【先行技術文献】
【特許文献】
【０００３】
【特許文献１】特開２０１５−１４６９９２号広報
【特許文献２】特開２００５−３１２４８８号広報
【発明の概要】
【発明が解決しようとする課題】
【０００４】
しかしながら、過去に考案された歯ブラシの除菌装置は高額であったり、狭い洗面所に置くには大きすぎたり、メンテナンスや取扱いに手間がかかる物であったり、薬剤においては除菌の効果と安全性において不明瞭なものでした。したがって歯ブラシを使用後１日経ったブラシ部分に雑菌が繁殖していて、虫歯や歯槽膿漏の遠因になっていることは広く知られていますが、歯ブラシの除菌に関しては、まったく習慣化していないのが現状です。
【課題を解決するための手段】
【０００５】
そこで、本発明は、以上の課題を解決すべく、安価で、スペースをとらず、手間がかからず、除菌・消毒の効果と安全性が実証済みの薬剤を使うことにより、広く国民に歯ブラシの除菌を習慣化させることを目的とした。
【０００６】
本発明は、ポリエチレン製のボトルに入れた次亜塩素酸ナトリウム水溶液を計量カップに適量入れ、水道水にて希薄、混合して除菌・消毒に効果があり安全な濃度（例：哺乳瓶の除菌・消毒であれば２００ｐｐｍ）にした後、歯みがきしたばかりの歯ブラシのブラシ部分を下にして計量カップに浸すことにより次回に歯ブラシを使用するまでの間にブラシ部分の除菌・消毒をしておくというものである。
【０００７】
本発明を安価に製造できる理由であるが、次亜塩素酸ナトリウムを使用した製品が家庭用として数多く存在し長年にわたり安価に販売されていることからも明らかである。製品の一例をあげると、哺乳瓶の除菌・消毒（商品名の一例：ミルトン）衣類の漂白剤（商品名の一例：ハイター）食器や布巾の除菌・漂白（商品名の一例：キッチンハイター）
スペースをとらない理由であるが、使用するのがポリエチレン製のボトルと計量カップのみであるためである。
手間がかからない理由であるが、本発明を使用した場合の一連の流れを記すと、(1)前回の歯みがき後に１日、次亜塩素酸ナトリウム水溶液に浸しておいた歯ブラシを計量カップより取り出し、水道水ですすいで、歯を磨く。(2)１日歯ブラシを浸しておいた計量カップ内の次亜塩素酸ナトリウム水溶液を破棄する。(3)ポリエチレン製のボトルに入れた次亜塩素酸ナトリウム水溶液を新たに計量カップに適量入れ、水道水にて希薄、混合する。(4)使用したばかりの歯ブラシをブラシ部分を下にして浸ける。以上のようにシンプルな方法なので手間がかからない。
【０００８】
除菌・消毒の効果と安全性についてであるが、次亜塩素酸ナトリウム水溶液は長年にわたり哺乳瓶の除菌・消毒に使用されてきた薬剤であり、万が一、体内に入ってもすぐに無毒化することはメーカーが公表している。したがって次亜塩素酸ナトリウム水溶液の濃度さえ間違わなければ除菌・消毒の効果と安全性は実証済みである。
【発明の効果】
【０００９】
本発明を毎日の歯みがき習慣に付け加えることで、より効果的に虫歯予防、歯槽膿漏の予防と改善が期待できる。
【図面の簡単な説明】
【００１０】
【図１】本発明に係る次亜塩素酸ナトリウム水溶液の入ったポリエチレン製のボトルの一例と計量カップの一例を示す側面から見た概略斜視図である。
【図２】本発明に係るポリエチレン製のボトルから次亜塩素酸ナトリウム水溶液を計量カップへ注いでいる様子を側面から見た概略斜視図である。
【図３】本発明に係るポリエチレン製のボトルから次亜塩素酸ナトリウム水溶液を計量カップへ３０ｍｌ注ぎ終えた様子を側面から見た概略斜視図である。
【図４】本発明に係る次亜塩素酸ナトリウム水溶液が３０ｍｌ入った計量カップに水道水を注いでいる様子を側面から見た概略斜視図である。
【図５】本発明に係る計量カップの９０ｍｌの目盛りまで水道水を注ぎ終えた状態を示す側面から見た概略斜視図である。
【図６】本発明に係る適切な濃度に希釈、混合した次亜塩素酸ナトリウム水溶液の入った計量カップに歯みがきしたばかりの歯ブラシを浸した状態を示す示す側面から見た概略斜視図である。
【図７】本発明に係るポリエチレン製のボトルから濃度１倍の次亜塩素酸ナトリウム水溶液を普通のコップへ注いでいる様子を側面から見た概略斜視図である。
【図８】本発明に係る濃度１倍の次亜塩素酸ナトリウム水溶液の入った普通のコップに歯みがきしたばかりの歯ブラシを浸した状態を示す側面から見た概略斜視図である。
【発明を実施するための形態】
【００１１】
以下に、本発明に係る実施例を図１乃至図８に基づいて説明する。なお、図１乃至図６は説明をわかりやすくするために、ポリエチレン製のボトルに入った次亜塩素酸ナトリウム水溶液の濃度を６００ｐｐｍとし、最終的に歯ブラシを浸す計量カップ内の次亜塩素酸ナトリウム水溶液の濃度を２００ｐｐｍとする。
【００１２】
図１において、１はポリエチレン製のボトルである。既存の次亜塩素酸ナトリウム水溶液を使用した商品のほとんどがポリエチレン製のボトルであるのでポリエチレン製が望ましい。ラベルには誤使用を避けるため歯ブラシの除菌・消毒用であることを大きく明記することが望ましい。３は計量カップである。透明なプラスチック製で３０ｍｌと９０ｍｌを計量できるように目盛りが入っている。
【００１３】
図２はポリエチレン製のボトルに入った次亜塩素酸ナトリウム水溶液を計量カップに注いでいる様子である。
図３は次亜塩素酸ナトリウム水溶液を計量カップの３０ｍｌの目盛りまで注ぎ終わった状態である。
図４は計量カップに次亜塩素酸ナトリウム水溶液が３０ｍｌ入っている所に水道水を注いでいる様子である。                      図５は水道水を計量カップの９０ｍｌの目盛りまで注ぎ終わった状態である。この例のように６００ｐｐｍの次亜塩素酸ナトリウム水溶液を水道水で３倍に希薄、混合することで２００ｐｐｍの次亜塩素酸ナトリウム水溶液を作る。
図６は２００ｐｐｍの次亜塩素酸ナトリウム水溶液に歯みがきしたばかりの歯ブラシを浸している状態である。この状態で次回の歯みがきまで浸しておくことでブラシ部分の除菌・消毒ができる。
【００１４】
なお今回は一例としてポリエチレン製のボトルの次亜塩素酸ナトリウム水溶液の濃度を６００ｐｐｍにしたが、水道水で希薄、混合する必要のない濃度１倍の次亜塩素酸ナトリウム水溶液であってもよいので原液のまま使用できる濃度１倍の次亜塩素酸ナトリウム水溶液も本発明に付け加える。
図７は濃度１倍の次亜塩素酸ナトリウム水溶液（実施例図１乃至図６に基づいて説明すると濃度２００ｐｐｍ）を普通のコップ（水道水で希薄、混合しないので計量カップは必要ない）へ注いでいる様子である。
図８は濃度１倍の次亜塩素酸ナトリウム水溶液の入った普通のコップに歯みがきしたばかりの歯ブラシを浸した状態である。次亜塩素酸ナトリウム水溶液の量に関しては歯ブラシのブラシ部分が完全に浸れば良いので任意である。
【符号の説明】
【００１５】
１  ポリエチレン製のボトル
２  ボトルのキャップ
３  計量カップ
【図１】
2020182659.tif 000003
【図２】
2020182659.tif 000004
【図３】
2020182659.tif 000005
【図４】
2020182659.tif 000006
【図５】
2020182659.tif 000007
【図６】
2020182659.tif 000008
【図７】
2020182659.tif 000009
【図８】
2020182659.tif 000010